(57)【要約】【課題】  薬剤シートと紐体さえあれば、いつでも、どこでも、一人でも容易に薬剤シートを剥がして貼りかえることが可能で、経済性に富む薬剤シートを提供する。【解決手段】  可撓性材料からなる人の皮膚に貼る薬剤シート１であって、前記薬剤シート１に少なくとも１箇所の孔６または切込み７を設け、前記孔６または切込み７に紐体３を通し、前記紐体３の端部を引っ張ることにより一人であっても薬剤シート１を皮膚から容易に剥がすことができる。また、前記孔６または前記切込み７に結び目８を設けた紐体３を通して、紐体３が薬剤シート１から抜けるのを防止し、より一層容易に薬剤シート１を皮膚から剥がすことができる。【選択図】  図２
2006081816.tif 000002
【特許請求の範囲】
【請求項１】
可撓性材料からなる人の皮膚に貼る薬剤シートであって、前記薬剤シートに少なくとも１箇所の孔を設け、前記孔に紐体を通したことを特徴とする薬剤シート。
【請求項２】
可撓性材料からなる人の皮膚に貼る薬剤シートであって、前記薬剤シートに少なくとも１箇所の切込みを設け、前記切込みに紐体を通したことを特徴とする薬剤シート。
【請求項３】
前記孔または前記切込みに結び目を設けた紐体を通したことを特徴とする請求項１または２に記載の薬剤シート。
【請求項４】
前記孔または前記切込みの近傍に薬剤を塗付しない部分を有することを特徴とする請求項１乃至３のいずれか１項に記載の薬剤シート。
【発明の詳細な説明】
【技術分野】
【０００１】
本発明は、人の皮膚に貼付する薬剤シートに関し、特に皮膚から容易に剥がすことのできる薬剤シートに関する。
【背景技術】
【０００２】
従来、肩こり等の筋肉痛や打撲傷などの治療には、膏薬や湿布薬を可撓性材料に塗付した薬剤シートが用いられている。これらの薬剤シートは患部に１回だけ貼れば筋肉痛等が治癒するという性格のものではなく、ある程度の期間にわたって何回も繰り返して貼り替える必要がある。
【０００３】
ところで、薬剤シートを患部に貼る場合は一人でも比較的簡単に貼ることができる。しかし、薬剤シートを貼る必要がある患部が背中の中央部であるような場合、一人で貼ることは出来ても、一人で剥がすことは困難な作業となる。例え健常者であっても人手は背中の中央部には届き難いものであり、まして、四十肩または五十肩といわれる症状を有する人々にとっては、背中に貼った薬剤シートを一人で剥がすことなど至難の業であった。
【０００４】
本願の発明者は、上記の事情に気づき、一人でも剥がすことのできる紐付き薬剤シートを発明し、実施してきた。（例えば、特許文献１参照）この紐付き薬剤シートの発明は、人の皮膚に貼られた薬剤シートを一人でも剥がすことができるように、薬剤シートに少なくとも１本の紐体を取付けたものである。具体的には、薬剤シートに紐体を接着剤で取付けたもの、両面テープで取付けたもの、ホッチキスでとりつけたものが開示されている。
【特許文献１】特開２００３−３２５５７６号公報
【発明の開示】
【発明が解決しようとする課題】
【０００５】
しかし、上記特許文献に開示された紐付き薬剤シートを実際に実施してみると、何れについても問題があることが判明した。例えば、薬剤シートに紐体を接着剤で取付けたものでは、薬剤シートを皮膚に貼る前に紐体を予め薬剤シートに接着しておく必要がある。皮膚に優しく、かつ短時間に接着できる高強度の瞬間接着剤として適切なものがないという問題があった。また、薬剤シートに紐体を両面テープで取付けたものでは、両面テープの接着力は弱く、薬剤シートを皮膚から剥がそうとすると、薬剤シートが剥がれずに、薬剤シートから紐体が剥がれてしまうという問題があった。さらに、薬剤シートに紐体をホッチキスで取付けたものでは、金属材料であるホッチキスが皮膚に接することになり、肌ざわりが悪いという問題があった。さらに、薬剤シートを貼りかえる際には、予めホッチキスで紐体を取付けておく必要があることから、ホッチキスが無いと実施できないという問題があった。
【０００６】
本発明は、上記した従来技術の有する問題点を解決すべく発明されたものであり、薬剤シートと紐体さえあれば、いつでも、どこでも、一人でも容易に薬剤シートを剥がして貼りかえることが可能で、経済性に富む薬剤シートの提供することを目的とする。
【課題を解決するための手段】
【０００７】
請求項１記載の発明は、可撓性材料からなる人の皮膚に貼る薬剤シートであって、前記薬剤シートに少なくとも１箇所の孔を設け、前記孔に紐体を通したことを特徴とするものである。
【０００８】
請求項２記載の発明は、可撓性材料からなる人の皮膚に貼る薬剤シートであって、前記薬剤シートに少なくとも１箇所の切込みを設け、前記切込みに紐体を通したことを特徴とするものである。
【０００９】
請求項３記載の発明は、請求項１または２に記載の薬剤シートにおいて、前記孔または前記切込みに結び目を設けた紐体を通したことを特徴とするものである。
【００１０】
請求項４記載の発明は、請求項１乃至３のいずれか１項に記載の薬剤シートにおいて、前記孔または前記切込みの近傍に薬剤を塗付しない部分を有することを特徴とするものである。
【発明の効果】
【００１１】
請求項１記載の薬剤シートによれば、薬剤シートに設けた孔に紐体を通して皮膚に貼ることにより、薬剤シートを剥がす際には紐体を引っ張るだけで薬剤シートを皮膚から容易に剥がすことができる。また、薬剤シートには孔を設けるだけでよいので、薬剤シートの製造コストを抑制できる。
【００１２】
請求項２記載の薬剤シートによれば、薬剤シートに設けた切込みに紐体を通して皮膚に貼ることにより、薬剤シートを剥がす際には紐体を引っ張るだけで薬剤シートを皮膚から容易に剥がすことができる。また、薬剤シートには切込みを設けるだけでよいので、薬剤シートの製造コストを抑制できる。
【００１３】
請求項３記載の薬剤シートによれば、薬剤シートの孔または切込みに結び目を設けた紐を通しているので、紐体の端部を強く引っ張っても結び目が薬剤シートの孔または切込みに係止し、紐体が薬剤シートから抜けるのを防止できる。
【００１４】
請求項４記載の薬剤シートによれば、前記孔または前記切込みの近傍に薬剤を塗付しない部分を有するので、薬剤シートを皮膚からより一層容易に剥がすことができる。
【発明を実施するための最良の形態】
【００１５】
以下、図面を参照して本発明の薬剤シートの実施の形態を説明する。図１は、本発明にかかる薬剤シートの使用例を示す斜視図である。薬剤シート１は、筋肉痛や打撲傷を有する人の患部の皮膚に貼られるが、図１に示す使用例では人の背中の中央部２に貼られている。このような人手が容易に届かないような背中の中央部２であっても、薬剤シート１を貼るのは比較的簡単にできる。例えば、畳上に薬剤シート１を載置した後、仰向けに寝転がることで背中の中央部２であっても薬剤シート１を容易に貼ることができる。しかし、薬剤シート１の薬効が保持可能な時間が経過すると、薬剤シート１を貼りかえる必要があり、背中の中央部２に貼られていた薬剤シート１を剥がす必要がある。図１に示す使用例は、人の背中の中央部２に貼られた薬剤シート１を剥がしている状態を示しており、薬剤シート１に設けられた孔６または切込み７に通した紐体３を腰部の後側部に回した左右の手４，５で引っ張ることにより薬剤シート１を剥がしている状態を示している。
【００１６】
図２は、本発明にかかる薬剤シート１の第１実施例を示す平面図である。薬剤シート１は布等の可撓性材料からなるものであって、薬剤シート１に少なくとも１箇所の孔６を設け、その孔６に紐体３を通したものである。薬剤シート１の表面1aには湿布剤や膏薬等の薬剤が塗布されている。薬剤シート１の隅部近傍には孔６が設けられている。孔６は各隅部に設けてもよいが、１箇所だけに設けてもよい。図２に示す例では２箇所に設けている。そして、２箇所の孔６に布やビニール等からなる紐体３を通している。紐体３の長さは紐体３を腰に結べる程度の適宜の長さを有している。なお、図に示す薬剤シート１では、図の表面1aに薬剤が塗布されている。そこで、薬剤シート１に設けられた孔６へ紐体３を通す場合には、図に示すように、１つの孔６の表面1a側から裏面1b側へ紐体３を通し、次にその紐体３をもう一方の孔６に裏面1b側から表面1a側に紐体３を通している。このような構成を有する薬剤シート１によれば、薬剤シート１に設けた孔６に紐体３を通して皮膚に貼ることにより、薬剤シート１を剥がす際には紐体３を引っ張るだけで薬剤シート１を皮膚から容易に剥がすことができる。また、薬剤シート１には孔６を設けるだけでよいので、薬剤シート１の製造コストを抑制できる。
【００１７】
図３は、本発明にかかる薬剤シート１の第２実施例を示す平面図である。本実施例が第１実施例と異なる点は、薬剤シート１に孔６に替えて切込み７を設け、その切込み７に紐体３を通したことである。すなわち、薬剤シート１に少なくとも１箇所の切込み７を設け、その切込み７に紐体３を通したものである。本実施例では２箇所に切込み７が設けられている。薬剤シート１の切込み７に紐体３を通すやり方は、第１実施例と同じである。このような構成を有する薬剤シート１によれば、薬剤シート１に設けた切込み７に紐体３を通して皮膚に貼ることにより、薬剤シート１を剥がす際には紐体３を引っ張るだけで薬剤シート１を皮膚から容易に剥がすことができる。また、薬剤シート１には切込み７を設けるだけでよいので、薬剤シート１の製造コストを抑制できる。
【００１８】
図４は、本発明にかかる薬剤シート１の第３実施例を示す平面図である。本実施例が第１実施例と異なる点は、薬剤シート１の孔６に通す紐体３に結び目８を設けたことである。すなわち、薬剤シート１に少なくとも１箇所の孔６を設け、その孔６に結び目８を設けた紐体３を通したものである。本実施例では２箇所に孔６が設けられている。このような構成を有する薬剤シート１によれば、薬剤シート１の孔６に結び目８を設けた紐体３を通しているので、紐体３の端部を強く引っ張っても結び目８が薬剤シート１の孔６に係止し、紐体３が薬剤シート１から抜けるのを防止できる。
【００１９】
図５は、本発明にかかる薬剤シート１の第４実施例を示す平面図である。本実施例が第３実施例と異なる点は、孔６に替えて切込み７が薬剤シート１に設けられていることである。すなわち、薬剤シート１の裏面1b、つまり湿布剤や膏薬等の薬剤が塗付されていない裏面1bとなる紐体３に結び目８を設けたものである。このような構成を有する薬剤シート１によれば、薬剤シート１の切込み７に結び目８を設けた紐体３を通しているので、紐体３の端部を強く引っ張っても結び目８が薬剤シート１の切込み７に係止し、紐体３が薬剤シート１から抜けるのを防止できる。
【００２０】
図６は、本発明にかかる薬剤シート１の第５実施例を示す平面図である。ただし、紐体３は図示していない。本実施例が第１実施例や第３実施例と異なる点は、薬剤シート１の孔６の近傍に薬剤を塗布しない部分９を有することである。すなわち、薬剤シート１の孔６の周縁の一部を含む薬剤シート１の隅部に薬剤を塗布しない部分９を設けたものである。このような構成を有する薬剤シート１によれば、前記孔６の近傍に薬剤を塗付しない部分９を有するので、薬剤シート１を皮膚からより一層容易に剥がすことができる。
【００２１】
図７は、本発明にかかる薬剤シート１の第６実施例を示す平面図である。ただし、本実施例も第５実施例と同様、紐体３は図示していない。本実施例が第５実施例と異なる点は、薬剤シート１に孔６の替わりに切込み７を設けたことである。このような構成を有する薬剤シート１によれば、前記切込み７の近傍に薬剤を塗付しない部分９を有するので、薬剤シート１を皮膚からより一層容易に剥がすことができる。
【００２２】
以上、本発明を各実施例に基づいて説明したが、本発明は種々の変形実施をすることができる。たとえば前記の各実施例では薬剤シート１に孔６または切込み７を２箇所設けているが、孔６または切込み７は１箇所であってもよいし、３箇所以上であってもよい。
【図面の簡単な説明】
【００２３】
【図１】本発明にかかる薬剤シートの使用例を示す斜視図である。
【図２】本発明にかかる薬剤シートの第１実施例を示す平面図である。
【図３】本発明にかかる薬剤シートの第２実施例を示す平面図である。
【図４】本発明にかかる薬剤シートの第３実施例を示す平面図である。
【図５】本発明にかかる薬剤シートの第４実施例を示す平面図である。
【図６】本発明にかかる薬剤シートの第５実施例を示す平面図である。
【図７】本発明にかかる薬剤シートの第６実施例を示す平面図である。
【符号の説明】
【００２４】
１  薬剤シート
３  紐体
６  孔
７  切込み
８  結び目
９  薬剤を塗布しない部分
【図１】
2006081816.tif 000003
【図２】
2006081816.tif 000004
【図３】
2006081816.tif 000005
【図４】
2006081816.tif 000006
【図５】
2006081816.tif 000007
【図６】
2006081816.tif 000008
【図７】
2006081816.tif 000009